(57)【要約】【課題】  現在受信中のチャンネルの受信状態が悪化した際、同一放送番組種別を放送する別のチャンネルへの切り替えを行ってユーザ所望の放送種別の放送番組を高い品質で視聴することができるようにする。【解決手段】  受信装置１０は、互いに異なるチャンネルで送信されるディジタル放送信号を含む放送波を選択的に受ける。ディジタル放送信号の各々には放送番組の種別を示す放送番組種別情報が含まれている。受信装置は、現在受信中の放送波と異なるチャンネルの放送波を監視放送波として監視放送波において放送番組種別情報を監視してユーザ入力された入力放送番組種別情報と放送番組種別情報とが一致するか否かを検出し一致すると種別一致信号を出力するとともに、監視放送波において放送波の受信品質を検知する。そして、受信品質が良好であると判定された際種別一致信号を受けると監視放送波を受信放送波として受信させて当該受信放送波に係る放送番組を出力させる受信制御を行う。【選択図】        図２
2006313972.tif 000002
【特許請求の範囲】
【請求項１】
互いに異なるチャンネルで送信されるディジタル放送信号を含む放送波を選択的に受ける受信装置において、
前記ディジタル放送信号の各々には放送番組の種別を示す放送番組種別情報が含まれており、
現在受信中の放送波と異なるチャンネルの放送波を監視放送波として該監視放送波において前記放送番組種別情報を監視して、ユーザ入力された入力放送番組種別情報と前記放送番組種別情報とが一致するか否かを検出し一致すると種別一致信号を出力する放送番組種別判定手段と、
前記監視放送波において前記放送波の受信品質を検知する受信品質検知手段と、
前記受信品質検知手段で受信品質が良好であると判定された際前記種別一致信号を受けると前記監視放送波を受信放送波として受信させて当該受信放送波に係る放送番組を出力させる受信制御を行う受信制御手段とを有することを特徴とする受信装置。
【請求項２】
放送波の各々は搬送波の中心周波数が同一のアナログ放送信号及びディジタル放送信号が混在し、同一の放送波においては前記アナログ放送信号及び前記ディジタル送信信号は同一の放送番組を送信しており、
受信品質検知手段は監視放送波においてアナログ放送信号の受信品質を検知して受信品質が良好であるとアナログ検知信号を出力するアナログ受信品質検知手段と、前記監視放送波においてディジタル放送信号の受信品質を検知して受信品質が良好であるとディジタル検知信号を出力するディジタル受信品質検知手段とを有し、
受信制御手段は前記アナログ検知信号及び前記ディジタル検知信号の少なくとも一方を受けるとともに種別一致信号を受けると受信制御を行うようにしたことを特徴とする請求項１記載の受信装置。
【請求項３】
アナログ放送信号を復調して第１の復調信号を出力するアナログ復調手段と、
ディジタル放送信号を復調して第２の復調信号を出力するディジタル復調手段と、
アナログ検知信号及びディジタル検知信号に応じて前記第１及び前記第２の復調信号を選択的に出力する出力切替手段とを有することを特徴とする請求項３記載の受信装置。
【請求項４】
受信品質検知手段で受信品質が良好であると判定されるとともに種別一致信号を受けると監視放送波を受信放送波として受信可能であることを報知する報知手段を有することを特徴とする請求項１から請求項３のうちのいずれか１項記載の受信装置。
【請求項５】
放送波を受信する第１及び第２の受信手段と、
該第１の受信手段に接続されアナログ放送信号を復調する第１のアナログ復調手段と
前記第１の受信手段に接続されディジタル放送信号を復調する第１のディジタル復調手段と、
前記第２の受信手段に接続されアナログ放送信号を復調する第２のアナログ復調手段と、
前記第２の受信手段に接続されディジタル放送信号を復調する第２のディジタル復調手段とを有し、
前記第１及び前記第２の受信手段のいずれか一方が監視放送波を受信する監視受信手段として用いられ、該監視受信手段に対応するアナログ復調手段の出力及びディジタル復調手段の出力をそれぞれアナログ受信品質検知手段及びディジタル受信品質検知手段に与えるようにしたことを特徴とする請求項２記載の受信装置。
【請求項６】
受信制御手段は監視受信手段で監視放送波を受信放送波として受信すると、該監視受信手段と別の受信手段を監視受信手段とするようにしたことを特徴とする請求項５記載の受信装置。
【請求項７】
放送波を受信する受信手段と、
該受信手段に接続されアナログ放送信号を復調するアナログ復調手段と
前記受信手段に接続されディジタル放送信号を復調するディジタル復調手段と、
現在受信中の放送波において前記アナログ復調手段又は前記ディジタル復調手段からの出力が途切れる間現在受信中の放送波と異なるチャンネルの放送波を前記受信手段で受信させて、前記アナログ復調手段の出力及び前記ディジタル復調手段の出力をそれぞれアナログ受信品質検知手段及びディジタル受信品質検知手段に与える切替制御手段とを有することを特徴とする請求項２記載の受信装置。
【発明の詳細な説明】
【技術分野】
【０００１】
この発明は、放送番組の種別が付加された放送波を受信する受信装置に関し、特に、アナログ信号とディジタル信号を選択的に復調・出力するラジオ受信装置に関するものである。
【背景技術】
【０００２】
一般に、ラジオ受信装置の一つである車載用ラジオ受信装置（以下、カーラジオ受信装置と呼ぶ）では車両の移動に伴って放送局のサービスエリアから外れることがあり、この際には、ユーザはカーラジオ受信装置を操作して、再選局を行う必要がある。そして、再選局を容易にするため、例えば、欧州ではＲＤＳ（Ｒａｄｉｏ  Ｄａｔａ  Ｓｙｓｔｅｍ：ラジオデータシステム）が存在している。ＲＤＳでは、ＦＭラジオ放送にデジタルデータ（以下、ＲＤＳデータという）を多重化して送信している。
【０００３】
このＲＤＳデータには、例えば、国コード及び放送局コードからなる放送番組識別コード、放送番組のジャンル（放送番組の種別）を識別するジャンル識別コード（放送種別信号：このジャンル識別コードでは、例えば、音楽、トーク、スポーツ、ニュース等の複数のジャンル毎に個別のコードが付与される）、同一放送番組を放送する他の放送局を知らせるための代替局周波数コード、及び放送局名コードが含まれている。
【０００４】
そして、カーラジオ受信装置では、このＲＤＳデータを利用して、受信状態が良好な同一内容放送番組を送信する放送局を順次受信する。例えば、同一放送番組を放送する放送局を自動選局する際には、現在受信中の放送局に係る信号強度と代替局周波数コードから得られた同一放送番組を放送する代替放送局に係る信号強度とを比較して、その比較結果と放送番組種別コードとに応じて自動的に選局を行うようにしている。また、自動選局機能には、ユーザが所望するジャンル識別コードを選択して、この選択したジャンル識別コードを含むＦＭラジオ放送を送信する放送局を選択する機能も備えられている。
【０００５】
ところで、ＲＤＳではＦＭラジオ放送（つまり、アナログラジオ放送）を受信する際、ＲＤＳデータに応じて再選局を行っているのみであって、同一の中心周波数でアナログ信号とディジタル信号とが同時に伝送される伝送方式（放送形態）において、アナログ信号とディジタル信号とを選択的に受信する際には用いることができない。
【０００６】
例えば、アナログ放送とディジタル放送とを同一の放送局から同時に放送する放送方式として、米国のｉＢｉｑｕｉｔｙによって提案されているＩＢＯＣ（Ｉｎ  Ｂａｎｄ  Ｏｎ  Ｃｈａｎｎｅｌ）システムと呼ばれる放送方式が知られておりに、このＩＢＯＣシステムでは、ディジタル放送はアナログ放送の間のチャンネルで放送され、ＩＢＯＣシステムにおけるディジタル放送ではマルチキャリア伝送方式が用いられており、この際、隣接するアナログ放送に影響を与えないようにするため、ディジタル放送はアナログ放送に比べて低い送信電力で送信される。
【０００７】
ＩＢＯＣシステムのような放送形態でラジオ放送を受信する際には、通常高品質であるディジタル放送を受信して、ディジタル放送が受信不能となった際にはアナログ放送に切り替え、再度ディジタル放送の受信が可能となるとディジタル放送に切り替える必要があり、さらには、放送種別（ジャンル）に応じてアナログ放送とディジタル放送とを切り替えることも行われている。例えば、音楽を視聴する際には、高品質で視聴するためディジタル放送を選択することが好ましい。
【０００８】
一方、ディジタル放送受信機において、視聴条件が付加された音声データを受信して視聴する際、視聴条件に応じて音声データを劣化処理するか否かを判定するようにしたものがある（例えば、特許文献１参照）。さらに、衛星放送（ディジタル放送）を受信する際、音声信号の音声モード（Ａモード又はＢモード）を判定して、この判定された音声モードに応じて当該音声信号から再生される音声の音量を変更するようにしたものがある（例えば、特許文献２参照）。
【０００９】
また、異種の音声多重方式の放送信号が混在している際、これら音声多重方式のデコード信号を切り替えるに当たって、この切り替えを音声多重方式の判別に応じて行うようにしたものがある（例えば、特許文献３参照）。
【００１０】
【特許文献１】特開２００２−２３７７８８号公報（第３頁〜第５頁、第１図及び第６図）
【特許文献２】特開平４−３５１１２３号公報（第３頁〜第４頁、第１図〜第３図）
【特許文献３】特開平２−１６６８８７号公報（第２頁〜第５頁、第１図及び第２図）
【発明の開示】
【発明が解決しようとする課題】
【００１１】
従来の受信装置は以上のように構成されているので、つまり、特許文献１においては、視聴条件に応じて音声データを劣化処理するか否かを判断しているだけであるので、現在受信中の放送波（チャンネル）の受信状態が悪化した際、同一放送番組種別を放送する別のチャンネルへの切り替えを行うことができず、ユーザ所望の放送番組種別の放送番組を視聴することができないという課題があった。
【００１２】
また、特許文献２においては、単に音声モードに応じて音声の音量を変更しているだけであるので、同様に、現在受信中のチャンネルの受信状態が悪化した際、同一放送番組種別を放送する別のチャンネルへの切り替えを行うことができず、ユーザ所望の放送番組種別の放送番組を視聴することができないという課題があった。
【００１３】
さらに、特許文献３においては、異種の音声多重方式のデコード信号を切り替えるに当たって、音声多重方式の判別に応じて切り替えを行うようにしているだけであって、現在受信中のチャンネルの受信状態が悪化した際、同一放送番組種別を放送する別のチャンネルへの切り替えを行うことができず、ユーザ所望の放送番組種別の放送番組を視聴することができないという課題があった。
【００１４】
この発明は上記のような課題を解決するためになされたもので、現在受信中のチャンネルの受信状態が悪化した際、同一放送番組種別を放送する別のチャンネルへの切り替えを行ってユーザ所望の放送種別の放送番組を高い品質で視聴することのでき、しかもアナログ放送とディジタル放送とを選択的に受信してユーザ所望の品質で視聴することができる受信装置を得ることを目的とする。
【課題を解決するための手段】
【００１５】
この発明に係る受信装置は、互いに異なるチャンネルで送信されるディジタル放送信号を含む放送波を選択的に受ける。ディジタル放送信号の各々には放送番組の種別を示す放送番組種別情報が含まれ、この受信装置は、現在受信中の放送波と異なるチャンネルの放送波を監視放送波として、監視放送波において放送番組種別情報を監視してユーザ入力された入力放送番組種別情報と放送番組種別情報とが一致するか否かを検出し一致すると種別一致信号を出力する放送番組種別判定手段と、監視放送波において放送波の受信品質を検知する受信品質検知手段と、受信品質検知手段で受信品質が良好であると判定された際種別一致信号を受けると監視放送波を受信放送波として受信させて当該受信放送波に係る放送番組を出力させる受信制御を行う受信制御手段とを有することを特徴とするものである。
【発明の効果】
【００１６】
以上のように、この発明によれば、現在受信中の放送波と異なるチャンネルの放送波を監視放送波とし監視放送波において放送番組種別情報を監視して入力放送番組種別情報と放送番組種別情報とが一致するか否かを検出して、一致すると種別一致信号を出力し、監視放送波において放送波の受信品質が良好であると判定された際種別一致信号を受けると監視放送波を受信放送波として受信させて当該受信放送波に係る放送番組を出力させるように構成したので、現在受信中のチャンネルの受信状態が悪化した際、同一放送番組種別を放送する別のチャンネルへの切り替えを行ってユーザ所望の放送種別の放送番組を高い品質で視聴することができるという効果がある。
【発明を実施するための最良の形態】
【００１７】
実施の形態１．
まず、図１を参照して、ここでは、アナログ放送とディジタル放送とを同時に放送するシステムとして、ＩＢＯＣシステムを例に挙げて説明する。図１はＩＢＯＣシステムにおける送信時の電力スペクトル分布を示す図であり、図１において横軸は周波数、縦軸は放送波における電力スペクトラムの強度（レベル）を表す。なお、図１において横軸はアナログ放送（例えば、ＦＭオーディオ放送）の中心周波数を０として、この中心周波数からのずれを示している。そして、ディジタル放送波（ディジタル放送信号）はアナログ放送波（アナログ放送信号）の間を利用して送信され、ディジタル放送波の中心周波数はアナログ放送波の中心周波数と同一であり、ディジタル放送波の電力スペクトラムはアナログ放送波の電力スペクトラムの外側に分布する。
【００１８】
アナログ放送とディジタル放送が同時に行われる際には（以下、この放送波を複合放送波と呼ぶ）、放送局においては同一のアンテナで複合放送波が送信され、受信装置においては、同一のアンテナで複合放送波が受信され、このため、ディジタル放送波及びアナログ放送波の電力スペクトラム強度は、所定の比率で放送され、受信の際にも同一の比率を有するものとなる。ＩＢＯＣシステムにおいては、アナログ放送波とディジタル放送波を同一の中心周波数で同時に放送しても、互いに電力スペクトラムが重ならないようにして互いの干渉を防いでいる。
【００１９】
図２を参照すると、図２はこの発明の実施の形態１による受信装置の一例を示すブロック図であり、以下の説明においてはアナログ放送波がＦＭ放送又はＡＭ放送であり、ディジタル放送がＤＡＢオーディオ放送である場合を例にして説明する。また、ＤＡＢシステムにおいては、その変調方式としてＯＦＤＭ（直交周波数分割多重方式：Ｏｒｔｈｏｇｏｎａｌ  Ｆｒｅｑｕｅｎｃｙ  Ｄｉｖｉｓｉｏｎ  Ｍｕｌｔｉｐｌｅｘ）が用いられているものとする。
【００２０】
受信装置１０は、第１及び第２のチューナ１１及び１２を備えており、第１及び第２のチューナ１１及び１２にはそれぞれ第１及び第２のアンテナ１３及び１４が接続されている（このように２台のチューナを備える受信装置はツインチューナ受信装置と呼ぶ）。第１及び第２のチューナ１１及び１２はアナログ・オーディオ信号処理部１５に接続され、このアナログ・オーディオ信号処理部１５にはスピーカ１６が接続されている。さらに、アナログ・オーディオ信号処理部１５にはマイコン１７及びディジタル信号処理部１８が接続されている。
【００２１】
図示の受信装置１０では、第１及び第２のチューナ１１及び１２を用いて複合放送波を受信する（ディジタル放送波には少なくとも放送種別信号が含まれ、その他放送番組識別コード、代替局周波数コード、及び放送局名コードが含むようにしてもよい）。そして、後述するように、第１及び第２のチューナ１１及び１２のいずれか一方を視聴用、他方を監視用として用いる。第１及び第２のチューナ１１及び１２で受信された複合放送波は、ここで中間周波信号（ＩＦ信号）に変換されてアナログ・オーディオ信号処理部１５に与えられる。
【００２２】
アナログ・オーディオ信号処理部１５は二系統の復調経路を有しており、これら復調経路はそれぞれアナログ−ディジタル変換部（Ａ／Ｄ）２１及び２２とＦＭ／ＡＭ復調部２３及び２４とを有している（以下、Ａ／Ｄ２１に与えられるＩＦ信号を第１のＩＦ信号と呼び、Ａ／Ｄ２２に与えられるＩＦ信号を第２のＩＦ信号と呼ぶことにする）。さらに、アナログ・オーディオ信号処理部は回路切替部２５、アナログ・ディジタル切替部２６、オーディオ部２７、及びディジタル−アナログ変換部（Ｄ／Ａ）２８を有し、Ｄ／Ａ２８がスピーカ１６に接続されている。
【００２３】
第１のＩＦ信号はＡ／Ｄ２１でＡ／Ｄ変換された後、アナログ放送波に係る成分がＦＭ／ＡＭ復調部２３で復調されて、第１の復調信号として回路切替部２５に与えられる。同様にして、第２のＩＦ信号はＡ／Ｄ２２でＡ／Ｄ変換された後、アナログ放送波に係る成分がＦＭ／ＡＭ復調部２４で復調されて、第２の復調信号として回路切替部２５に与えられる。そして、回路切替部２５は後述するようにして第１及び第２の復調信号のいずれか一方を復調出力信号として選択する。
【００２４】
図示のように、ディジタル信号処理部１８はＩＱ復調部３１及び３２、ＦＦＴ部３３及び３４、回路切替部３５、ＯＦＤＭ復調部３６、デインターリーブ誤り訂正部３７、及びオーディオ復調部３８を有しており、ＩＱ復調部３１及び３２はそれぞれＡ／Ｄ２１及び２２の出力側に接続されている。
【００２５】
ＩＱ復調部３１はＡ／Ｄ２２から与えられる量子化信号によってＩ信号とＱ信号とを生成し、これらＩ信号及びＱ信号はＦＦＴ部３３で高速フーリエ変換される。同様にして、ＩＱ復調部３２はＡ／Ｄ２１から与えられる量子化信号によってＩ信号とＱ信号とを生成し、これらＩ信号及びＱ信号はＦＦＴ部３４で高速フーリエ変換される。
【００２６】
回路切替部３５はＦＦＴ部３３及び３４のいずれか一方を選択し、回路切替部３５の出力はＯＦＤＭ復調部３６に与えられて、ここでＯＦＤＭ復調され、さらに、デインターリーブ誤り訂正部３７でデインターリーブ及び誤り符号の検出・訂正等が行われる。そして、デインターリーブ誤り訂正部３７の出力（誤り訂正済み出力）はオーディオ復調部３８でデコードされて復号信号として出力され、マイコン１７に与えられる。
【００２７】
マイコン１７には、第１及び第２の比較基準値メモリ４１及び４２、ディジタル品質検出部４３、アナログ品質検出部４４、オア（ＯＲ）ゲート４５、アンド（ＡＮＤ）ゲート４６、放送種別判定手段４７、放送種別受信メモリ４８、放送種別設定メモリ４９、制御手段５０、周波数変換手段５１、チューナ制御手段５２、及び回路切替部５３が備えられており、比較基準値メモリ４１及び４２には予め設定された基準値（閾値）がそれぞれディジタル基準値（第１の基準値）及びアナログ基準値（第２の基準値）として記憶されている。
【００２８】
ディジタル品質検出部４３には前述の復号信号が与えられ、ディジタル品質検出部４３ではディジタル基準値に応じて復号信号の品質を検出して、第１の検出信号を出力する。一方、アナログ品質検出部４４には復調出力信号が与えられ、アナログ品質検出部４４ではアナログ基準値に応じて復調出力信号の品質を判定して、第２の検出信号を出力する。これら第１及び第２の検出信号はオアゲート４５で論理和演算されて、論理和信号としてアンドゲート４６に与えられる。
【００２９】
入力手段６１によってユーザが所望の放送番組種別（ジャンル）を入力すると、この放送番組種別は放送種別判定手段４７に与えられる。なお、予め入力手段６１によって放送種別設定メモリ４９に放送番組種別を設定するようにしてもよい。つまり、放送番組種別は入力手段６１から直接放送種別判定手段４７に与えられるか又は放送種別設定メモリ４９に設定された設定放送種別は放送種別判定手段４７に与えられる。
【００３０】
放送種別判定手段４７にはオーディオ復調部３８から復号信号が与えられ、放送種別判定手段４７では設定放送種別と復号信号に含まれる放送種別が一致するか否かを判定し、一致すると種別一致信号を出力する。そして、この種別一致信号はアンドゲート４６及び放送種別受信メモリ４８に与えられる。表示手段６２は、放送種別受信メモリ４８に格納された種別一致信号に応じて受信中のディジタル放送の放送種別とユーザ設定の放送種別が一致したか否かを表示する。
【００３１】
アンドゲート４６では論理和信号と種別一致信号との論理積演算を行い、論理積信号を出力として周波数変換手段５１及び回路切替部５３に与える。回路切替部５３は、論理積信号に応じて後述するようにして周波数変換手段５１及びチューナ制御手段５２を選択的に第１及び第２のチューナ１１及び１２に接続しており、周波数変換手段５１は論理積信号に応じた受信周波数を出力する。
【００３２】
なお、後述するように、第１のチューナ１１に周波数変換手段５１が接続された際には、第２のチューナ１２にチューナ制御手段５２が接続され、第２のチューナ１２に周波数変換手段５１が接続された際には、第１のチューナ１１にチューナ制御手段５２が接続されて、チューナ制御手段５２によって第１又は第２のチューナ１１又は１２が制御される。
【００３３】
さらに、回路切替部２５では論理積信号に応じて第１及び第２の復調信号のいずれか一方を復調出力信号として選択し、アナログ・ディジタル切替部２６に与える。一方、切替制御部６３は論理積信号に基づいてはアナログ・ディジタル切替部２６を制御し、アナログ・ディジタル切替部２６は復調出力信号及び復号信号のいずれか一方を選択して、選択出力信号としてオーディオ部２７に与える。制御手段５０は論理積信号に応じてオーディオ部２７をオーディオ制御し、オーディオ部２７で増幅された選択出力信号はディジタル−アナログ変換部（Ｄ／Ａ）２８でＤ／Ａ変換され、音響としてスピーカ１６から出力される。
【００３４】
次に動作について説明する。
図２及び図３を参照して、図２において、いま第１のチューナ１１が視聴用、第２のチューナ１２が監視用であるとする。この際には、回路切替部５３によってチューナ制御手段５２が第２のチューナ１２に接続され、周波数変換手段５１が第１のチューナ１１に接続されている。そして、前述したようにして、第１のチューナ１１で受信された放送波に応じた音響がスピーカ１６から出力されている。
【００３５】
この状態において、第１のチューナ１１で受信されている放送波（つまり、受信チャンネル）以外のチャンネルで受信チャンネルと同一の放送種別を放送しているチャンネルがあるか否かを検索してチャンネル切替を行う際には（このチャンネル切替は、例えば、受信チャンネルから出力される音響の品質が悪化したとユーザが判断した際に行われる）、図２に一転鎖線で示すように、入力手段６１から他チャンネル種別検索コマンドがチューナ制御手段５２に与えられ、他チャンネル種別検索が開始される（ステップＳＴ１）。
【００３６】
チューナ制御手段５２では、第２のチューナ１２を制御して他チャンネルを受信して、放送種別判定手段４７によって前述したようにして放送種別が一致するか否かを判定する。つまり、該当種別があるか否かを判定する（ステップＳＴ２）。該当種別がなければ、一旦待ち状態（ウェイト）となって（ステップＳＴ３）、その後、ステップＳＴ１に戻って再度別の他チャンネルの検索が行われる。
【００３７】
一方、ステップＳＴ２において該当種別があり、かつオアゲート４５からの論理和信号がハイレベルとであると、回路切替部５３によって周波数変換手段５１が第２のチューナ１２に接続され、チューナ制御手段５２が第１のチューナに接続されて、周波数変換手段５１によって該当種別の他チャンネルの周波数が第２のチューナ１２に与えられて、チャンネル切り替えが行われる（ステップＳＴ４）。つまり、第１のチューナ１１が監視用、第２のチューナ１２が視聴用となる。
【００３８】
続いて、図２及び図４を参照して、いま第１のチューナ１１が視聴用、第２のチューナ１２が監視用であるとし、アナログ放送に係る音響を視聴している際、ディジタル放送に係る音響に切り替える場合について説明する。放送種別メモリ４９にユーザが指定した放送種別指定があると（ステップＳＴ５）、つまり、図２に一転鎖線で示すように、入力手段６１から他チャンネル種別検索コマンドがチューナ制御手段５２に与えられると、受信可能局検索が開始され（ステップＳＴ６）、チューナ制御手段５２では、第２のチューナ１２を制御して他チャンネルを受信する。そして、ディジタル放送の受信が可能であると（ステップＳＴ７）、放送種別判定手段４７によって放送種別がユーザ指定のものであるか否かを判定する（ステップＳＴ８）。
【００３９】
そして、放送種別が一致すると、回路切替部５３によって周波数変換手段５１が第２のチューナ１２に接続され、チューナ制御手段５２が第１のチューナに接続されて、周波数変換手段５１によって該当種別の他チャンネルの周波数が第２のチューナ１２に与えられて、周波数切り替えが行われる（ステップＳＴ９）。つまり、第１のチューナ１１が監視用、第２のチューナ１２が視聴用となる。
【００４０】
一方、ステップＳＴ７で受信可能なディジタル放送がないと、ステップＳＴ１０に進み、同様に、放送種別が一致しないと、ステップＳＴ１０に進む。ステップＳＴ１０では全周波数について検索が完了したか否かを調べて、完了していないと再度ステップＳＴ６に戻って検索を続行する。
【００４１】
ところで、アナログ放送からディジタル放送に切り替える際の基準値とディジタル放送からアナログ放送に切り替える際の基準値とを異ならせることが好ましい。例えば、図５に示すように、放送種別：音楽、トーク、スポーツ、及びニュースについてナログ放送からディジタル放送に切り替える際の基準値とディジタル放送からアナログ放送に切り替える際の基準値とを異ならせると、音楽番組をアナログ放送で受信中にディジタル放送の品質が基準値“９”以上となった際にアナログ放送からディジタル放送への切り替えが行われる。
【００４２】
一方、ディジタル放送で音楽番組を視聴中にディジタル放送の品質が基準値“５”未満となるとディジタル放送からアナログ放送への切り替えが行われる。そして、音楽番組は高品質であることが望ましいから、図示のように、音楽番組、トーク番組、スポーツ番組、及びニュース番組の順に基準値が低くされる。
【００４３】
このようにして、アナログ放送からディジタル放送に切り替える際の基準値とディジタル放送からアナログ放送に切り替える際の基準値とを異ならせれば、多少の受信品質の変動によってアナログ放送とディジタル放送との間で受信切替が行われることがなく、安定的に受信の継続を行うことができることになる。
【００４４】
音楽番組等のようにディジタル放送による受信を優先させる必要がある際には、例えば、図６に示すようにアナログ品質とディジタル品質との関係を規定するようにすればよい。図示の例においては、斜線部分が閾値範囲であり、ディジタル放送を優先させる音楽番組等では閾値範囲が広くとられ、ニュース番組又はスポーツ番組等のようにディジタル放送を優先しない場合には閾値範囲は狭くされる。
【００４５】
図２に示す例では、第１及び第２のチューナ１１及び１２ともに受信用及び監視用として用いる例について説明したが、第１及び第２のチューナ１１及び１２のいずれか一方を常に受信用として用い、第１及び第２のチューナ１１及び１２の他方を常に監視用として用いるようにしてもよい。図７を参照すると、図７において図２と同一の構成要素については同一の参照番号を付す。図７においては、第１のチューナ１１が受信用として用いられ、第２のチューナ１２が監視用として用いられている。
【００４６】
従って、図示の受信装置１０では、図２に示す回路切替部２５、３５、及び５１が不要となり、ＦＭ／ＡＭ復調部２３の出力のみがアナログ・ディジタル切替部２６に与えられ、ＦＭ／ＡＭ復調部２４の出力はアナログ品質検出部４４に与えられる。さらに周波数変換手段５１の出力は第１のチューナ１１に接続され、チューナ制御手段５２は第２のチューナ１２に接続されることになる。
【００４７】
さらに、新たにＯＦＤＭ復調部７１、デインターリーブ誤り訂正部７２、及びオーディオ復調部７３を備えて、ＦＦＴ部３３の出力をＯＦＤＭ復調部７１に与えて、オーディオ復調部７３の出力をディジタル品質検出部４３に与える。そして、ＦＦＴ部３４の出力を直接ＯＦＤＭ復調部３６に与えるようにする。
【００４８】
このようにすれば、第２のチューナ１２をチューナ制御手段５２で制御して、周波数変換手段５１で第１のチューナ１１の受信周波数を変更して、常に第１のチューナ１１によって同一放送種別の放送番組を良好な状態で受信することができることになる。
【００４９】
ところで、図２及び図７に示す受信装置１０では２台のチューナ１１及び１２を有する受信装置について説明したが、１台のチューナのみを備えるようにしてもよい。例えば、図７において、第１のチューナ１１のみを備えるようにしてもよい（このような受信装置をシングルチューナ受信装置と呼ぶ）。この際には、アンテナ１４が不要となり、さらに、ＩＱ復調部３１、ＦＦＴ部３３、ＯＦＤＭ復調部７１、デインターリーブ誤り訂正部７２、及びオーディオ復調部７３が不要となって、周波数変換手段５１及びチューナ制御手段５２は第１のチューナ１１に接続される。また、ＦＭ／ＡＭ復調部２３の出力がアナログ品質検出部４４に与えられる。なお、図８に示すように、ＩＱ復調部３２、ＦＦＴ部３４、ＯＦＤＭ復調部３６、デインターリーブ誤り訂正部３７、及びオーディオ復調部３８は一つのチップ８１に搭載されている。
【００５０】
このようなシングルチューナ受信装置において、チャンネルの切り替えを行う際には、図９に示すようにして行われる。一般に放送番組においては、音声が途切れることがあり、音声が途切れたか否かを検出して（ステップＳＴ１１）、音声の途切れが検出されると、チューナ制御手段５２は第１のチューナ１１を制御して他チャンネルを受信して、放送種別判定手段４７によって前述したようにして放送種別が一致するか否かを判定する（チューナ周波数変更：ステップＳＴ１２）。
【００５１】
そして、周波数を元のチャンネルの周波数に復帰させ（ステップＳＴ１３）、全てのチャンネルについて放送種別検索を行ったか否かを調べて、全てのチャンネルについて放送種別の検索を行うと、タイマーに所定の時間を設定し（タイマー設定：ステップＳＴ１４）、処理を終了する。一方、ステップＳＴ１４において全てのチャンネルについて放送種別の検索が終了していないと、ステップＳＴ１１に戻る。なお、タイマーがカウントアップすると、再びこのフローが実行される。
【００５２】
なお、図７に示す例においても、ＩＱ復調部３１、ＦＦＴ部３３、ＯＦＤＭ復調部７１、デインターリーブ誤り訂正部７２、及びオーディオ復調部７３を一つのチップで構成するとともに、ＩＱ復調部３２、ＦＦＴ部３４、ＯＦＤＭ復調部３６、デインターリーブ誤り訂正部３７、及びオーディオ復調部３８を一つのチップで構成するようにしてもよい。
【００５３】
図２に示す例においても、さらに、ＯＦＤＭ復調部７１、デインターリーブ誤り訂正部７２、及びオーディオ復調部７３を備えて、ＩＱ復調部３１、ＦＦＴ部３３、ＯＦＤＭ復調部７１、デインターリーブ誤り訂正部７２、及びオーディオ復調部７３を一つのチップで構成するとともに、ＩＱ復調部３２、ＦＦＴ部３４、ＯＦＤＭ復調部３６、デインターリーブ誤り訂正部３７、及びオーディオ復調部３８を一つのチップで構成するようにしてもよく、この際には、オーディオ復調部３８及び７３の後段に回路切替部３５が配置され、回路切替部３５の出力がアナログ・ディジタル切替部２６、ディジタル品質検出部４３、及び放送種別判定手段４７に与えられる。
【００５４】
また、上述の説明から明らかなように、比較基準値メモリ４１及び４２と、ディジタル品質検出部４３及びアナログ品質検出部４４と、オアゲート４５が受信品質検知手段として機能し、アンドゲート４６、制御手段５０、周波数変換手段５１、チューナ制御手段５２、及び切替制御部６３、そして、回路切替部５３が受信制御手段として集合的に機能することになる。
【００５５】
さらに、ＦＭ／ＡＭ復調部２３及び２４がアナログ復調手段として機能し、ＩＱ復調部３１及び３２、ＦＦＴ部３３及び３４、回路切替部３５、ＯＦＤＭ復調部３６、デインターリーブ誤り訂正部３７、及びオーディオ復調部３８が集合的にディジタル復調手段として機能する。そして、回路切替部２５及びアナログ・ディジタル切替部２６が出力切替手段として機能することになる。
【００５６】
ところで、放送種別によって、受信装置１０内部のオーディオ設定、グラフィックイコライザ等の設定を、さらに、外部に接続されるサブウーファー、外部アンプ等を自動的に切り替えるようにしてもよい。この際には、前述のように、放送種別信号を監視してオーディオ設定及びグラフィックイコライザ等の設定を、予め登録された又はユーザによって登録された設定に自動的に変更する。これによって、常に最適な音声出力状態で視聴することができる。
【００５７】
また、受信した内容の音源を記録する際には、放送種別の他にディジタル放送信号に含まれるジャンル名、アーティスト名、アルバム名等の情報を記録して、再度記録した音源を再生するとき、同時に記録した情報によって所望の音源を検索する。そして、その情報を表示手段に表示するようにしてもよい。
【００５８】
さらに、上記の音源を再生する際には、同時に記録された放送種別、ジャンル名、アーティスト名、アルバム名等の情報によって、音源再生装置内のオーディオ設定、グラフィックイコライザ等の設定、外部に接続されているサブウーファー、外部アンプ等の機器を自動的に切り替えるようにする。
【００５９】
以上のように、この実施の形態１によれば、第１及び第２のチューナ１１及び１２のいずれか一方で現在受信中の放送波と異なるチャンネルの放送波を監視放送波として受信してこの監視放送波において放送番組種別情報を監視し、放送種別判定手段４７はユーザが入力した入力放送番組種別情報と放送番組種別情報とが一致するか否かを検出し一致すると種別一致信号を出力し、ディジタル品質検出部４３及びアナログ品質検出部４４によって監視放送波中のディジタル放送信号及びアナログ放送信号の受信品質を検知して、ディジタル品質検出部４３及びアナログ品質検出部４４の少なくとも一方で受信品質が良好であると判定された際種別一致信号を受けると監視放送波を受信放送波として受信させて当該受信放送波に係る放送番組を出力させるようにしたので、現在受信中のチャンネルの受信状態が悪化しても、同一放送番組種別を放送する別のチャンネルへの切り替えを行ってユーザ所望の放送種別の放送番組を高い品質で視聴することができるという効果がある。
【００６０】
この実施の形態１によれば、ディジタル品質検出部４３及びアナログ品質検出部４４における検出結果に応じてディジタル放送信号及びアナログ放送信号のいずれか一方を選択するようにしたので、アナログ放送とディジタル放送とを選択的に受信してユーザ所望の品質で視聴することができるという効果がある。
【００６１】
この実施の形態１によれば、受信品質が良好であると判定されるとともに種別一致信号を受けると監視放送波を受信放送波として受信可能であることを報知するようにしたので、ユーザは煩わしい操作を行うことなく、所望の放送種別の放送波が受信可能となったことを知ることができるという効果がある。
【００６２】
この実施の形態１によれば、第１及び第２のチューナ１１及び１２を備えて、第１及び第２のチューナのいずれか一方を、監視放送波を受信する監視チューナとして用い、この監視チューナに対応するアナログ出力及びディジタル出力に応じて受信品質の検出を行って、監視チューナで監視放送波を受信放送波として受信すると、監視チューナと別のチューナを監視チューナとするようにしたので、連続的に良好な放送波を受信することができるという効果がある。
【００６３】
この実施の形態１によれば、一つのチューナを有して、現在受信中の放送波に係る出力が途切れる間現在受信中の放送波と異なるチャンネルの放送波をチューナで受信してアナログ出力及びディジタル出力に応じて受診品質の検出を行うようにしたので、ツインチューナ受信装置に比べてその構成が簡単になるという効果がある。
【図面の簡単な説明】
【００６４】
【図１】この発明の実施の形態１による受信装置で受信される放送波の一例を示す図である。
【図２】この発明の実施の形態１による受信装置の構成の一例を示すブロック図である。
【図３】図２に示す受信装置において現在受信中のチャンネルと異なるチャンネルの放送種別を検索する動作を説明するためのフローチャートである。
【図４】図２に示す受信装置において現在受信中のチャンネルと異なるチャンネルへの切り替え動作を説明するためのフローチャートである。
【図５】アナログ放送からディジタル放送への切り替え及びディジタル放送からアナログ放送への切り替えを行う際に用いられる放送種別毎の基準値の一例を示す図である。
【図６】放送種別毎のディジタル放送とアナログ放送との切り替え閾値範囲の一例を示す図である。
【図７】この発明の実施の形態１による受信装置の構成の他の例を示すブロック図である。
【図８】シングルチューナ受信装置で用いられるディジタル信号復調部を一つチップ構成とした例を示す図である。
【図９】シングルチューナ受信装置におけるチャンネル切り替え動作を説明するためのフローチャートである。
【符号の説明】
【００６５】
１０  受信装置、１１，１２  チューナ、１３，１４  アンテナ、１５  アナログ・オーディオ信号処理部、１６  スピーカ、１７  マイコン、１８  ディジタル信号処理部、２１，２２  アナログ−ディジタル変換部（Ａ／Ｄ）、２３，２４  ＦＭ／ＡＭ復調部、２５，３５，５３  回路切替部、２６  アナログ・ディジタル切替部、２７  オーディオ部、  ２８  ディジタル−アナログ変換部、３１，３２  ＩＱ復調部、３３，３４  ＦＦＴ部、３６，７１  ＯＦＤＭ復調部、３７，７２  デインターリーブ誤り訂正部、３８，７３  オーディオ復調部、４１，４２  比較基準値メモリ、４３  ディジタル品質検出部、４４  アナログ品質検出部、４５  オア（ＯＲ）ゲート、４６  アンド（ＡＮＤ）ゲート、４７  放送種別判定手段、４８  放送種別受信メモリ、４９  放送種別設定メモリ、５０  制御手段、５１  周波数変換手段、５２  チューナ制御手段、６１  入力手段、６２  表示手段、６３  切替制御部、８１  チップ。
【図１】
2006313972.tif 000003
【図２】
2006313972.tif 000004
【図３】
2006313972.tif 000005
【図４】
2006313972.tif 000006
【図５】
2006313972.tif 000007
【図６】
2006313972.tif 000008
【図７】
2006313972.tif 000009
【図８】
2006313972.tif 000010
【図９】
2006313972.tif 000011